(57)【要約】【課題】構造の複雑化やコストの上昇を抑えながらも、面圧負荷解除機構に異常が発生した際に、面圧解除を行うことが可能なＳＮ装置及びその面圧解除方法を提供する。【解決手段】摺動金枠２０に設けられた傾斜ブロックとコッター６０とを摺動接触させ、押圧部材５０を介して弾性体５２を圧縮し、固定金枠１０と開閉金枠３０とを連結部材４０で連結させて面圧を負荷するＳＮ装置において、押圧部材５０を、コッターと接する接触部５１と、弾性体を圧縮する圧縮部５３と、接触部と圧縮部とを連結する連結部５４と、接触部又は圧縮部と連結部を固定する固定解除可能な固定部５５とを備えて構成する。面圧負荷解除機構に異常が発生した際は、固定部５５の固定を解除して、接触部５１と開閉金枠３０との間に冶具を挿入し、固定部５５を固定することによって、連結部材４０と開閉金枠３０側の係合部５６との間に隙間を生じさせ、連結部材４０を係合部５６から外す。【選択図】図１
2010082652.tif 000002
【特許請求の範囲】
【請求項１】
摺動金枠に設けられた傾斜ブロックとコッターとを摺動接触させ、開閉金枠に取り付けられた押圧部材を介して弾性体を圧縮し、固定金枠と開閉金枠とを連結部材で連結させた後、前記弾性体の圧縮を緩めて面圧を負荷するスライディングノズル装置において、
前記押圧部材は、前記コッターと接する接触部と、前記弾性体を圧縮する圧縮部と、前記接触部と前記圧縮部とを連結する連結部と、前記接触部又は前記圧縮部と前記連結部を固定する固定解除可能な固定部とを備えて構成されていることを特徴とするスライディングノズル装置。
【請求項２】
摺動金枠に設けられた傾斜ブロックとコッターとを摺動接触させ、開閉金枠に取り付けられた押圧部材を介して弾性体を圧縮し、固定金枠と開閉金枠とを連結部材で連結させた後、前記弾性体の圧縮を緩めて面圧を負荷するスライディングノズル装置の面圧解除方法において、
前記押圧部材は、前記コッターと接する接触部と、前記弾性体を圧縮する圧縮部と、前記接触部と前記圧縮部とを連結する連結部と、前記接触部又は前記圧縮部と前記連結部を固定する固定解除可能な固定部とを備えて構成され、
前記固定部の固定を解除して、前記接触部と前記開閉金枠との間に冶具を挿入し、前記固定部を固定することによって、前記連結部材と前記開閉金枠側の係合部との間に隙間を生じさせ、該連結部材を該係合部から外すことを特徴とするスライディングノズル装置の面圧解除方法。
【発明の詳細な説明】
【技術分野】
【０００１】
本発明は、溶融金属の流量を制御するスライディングノズル装置（以下、「ＳＮ装置」という）に関し、特に、自動面圧負荷解除機構に異常が発生した際に、面圧を解除することが可能な機構を備えたＳＮ装置、及びその面圧解除方法に関する。
【背景技術】
【０００２】
溶融金属容器から流出する溶鋼の流量を制御するＳＮ装置では、スライディングノズルプレート（以下、「ＳＮプレート」という）を摺動させて溶鋼の流量を制御しており、ＳＮプレートの交換時には、面圧の負荷や解除、金枠の開閉といった作業が必要となる。
【０００３】
このような作業の負荷を軽減する方法としては、例えば、ＳＮプレートを摺動させる摺動機構を利用して、面圧の負荷や解除を行う機構が提案されている（例えば、特許文献１参照）。
【０００４】
特許文献１では、摺動金枠側面に傾斜ブロックが設けられており、スプリングを圧縮する押圧部材と傾斜ブロックの間にコッターを差し込み、摺動機構で摺動金枠を摺動させることによって、傾斜ブロックでコッターを介して押圧部材を押し上げ、開閉金枠との間でスプリングを圧縮する。
【０００５】
ここで、固定金枠に設けられたフックを押圧部材の係合部に係合させ、摺動金枠を引き戻すと、スプリングの圧縮が緩み、当該スプリングの弾性力によって、固定プレートと摺動プレートとの間に面圧が負荷される。また、コッターを抜き取ることによって、プレート摺動時にスプリングが圧縮され、面圧が解除されることが防止される。
【０００６】
一方、面圧を解除する際には、面圧負荷時と同様にスプリングを圧縮することによって、フックと係合部との間に隙間を生じさせ、係合部からフックを外す。
【０００７】
このようなＳＮプレートの摺動機構を利用した面圧負荷解除機構では、摺動機構等にトラブルが発生すると、ＳＮプレートの面圧も解除できなくなる。そこで、非常時の面圧解除方法として、例えば、ＳＮプレートの摺動機構とは別のシリンダーやジャッキを取り付けて面圧を解除する方法が提案されている（例えば、特許文献２参照）。
【特許文献１】国際公開０２／０９００１７号パンフレット
【特許文献２】特開平１１−２５４１２６号公報
【発明の開示】
【発明が解決しようとする課題】
【０００８】
しかし、特許文献２の方法では、非常時用のシリンダーやジャッキを別に準備する必要があり、しかもこの非常時用のシリンダーやジャッキを金枠に取り付け及び取り外しする必要があるので、ＳＮ装置の構造が複雑になり、コストの上昇にも繋がっていた。
【０００９】
そこで、本発明では、構造の複雑化やコストの上昇を抑えながらも、面圧負荷解除機構に異常が発生した際に、面圧解除を行うことが可能なＳＮ装置及びその面圧解除方法を提供することを目的とする。
【課題を解決するための手段】
【００１０】
本発明に係るＳＮ装置は、摺動金枠に設けられた傾斜ブロックとコッターとを接触させながら摺動（以下、「摺動接触」という）させ、開閉金枠に取り付けられた押圧部材を介して弾性体を圧縮し、固定金枠と開閉金枠とを連結部材で連結させた後、前記弾性体の圧縮を緩めて面圧を負荷するＳＮ装置において、前記押圧部材は、前記コッターと接する接触部と、前記弾性体を圧縮する圧縮部と、前記接触部と前記圧縮部とを連結する連結部と、前記接触部又は前記圧縮部と前記連結部を固定する固定解除可能な固定部とを備えて構成されていることを特徴とする。
【００１１】
本発明に係るＳＮ装置の面圧解除方法は、摺動金枠に設けられた傾斜ブロックとコッターとを摺動接触させ、開閉金枠に取り付けられた押圧部材を介して弾性体を圧縮し、固定金枠と開閉金枠とを連結部材で連結させた後、前記弾性体の圧縮を緩めて面圧を負荷するスライディングノズル装置の面圧解除方法において、前記押圧部材は、前記コッターと接する接触部と、前記弾性体を圧縮する圧縮部と、前記接触部と前記圧縮部とを連結する連結部と、前記接触部又は前記圧縮部と前記連結部を固定する固定解除可能な固定部とを備えて構成され、前記固定部の固定を解除して、前記接触部と前記開閉金枠との間に冶具を挿入し、前記固定部を固定することによって、前記連結部材と前記開閉金枠側の係合部との間に隙間を生じさせ、該連結部材を該係合部から外すことを特徴とする。
【発明の効果】
【００１２】
本発明では、面圧負荷解除機構の複雑化やコスト上昇を抑えながら、面圧負荷解除機構に異常が発生した際に、面圧解除を行うことが可能となる。
【発明を実施するための最良の形態】
【００１３】
以下、本発明に係るＳＮ装置、及び当該ＳＮ装置を用いた非常時の面圧解除方法について、添付図を参照して詳細に説明する。なお、以下に示す本発明を実施するための形態は、本発明の具体的態様の一例であり、当該形態に限定されるものではない。
【００１４】
図１は、本発明に係るＳＮ装置の構成の一例を示す概略断面図であり、同図（ａ）は、摺動方向に対して垂直に切断した断面図（同図（ｂ）のＡ−Ａ断面）であり、同図（ｂ）は、摺動方向に沿って切断した断面図（同図（ａ）のＢ−Ｂ断面）である。
【００１５】
図１に示すように本発明に係るＳＮ装置は、取鍋やタンディッシュなどの溶融金属容器に設置され、固定プレート１１を保持する固定金枠１０と、摺動プレート２１を保持し、摺動機構によって摺動する摺動金枠２０と、開閉金枠３０と、フック（連結部材）４０と、押圧部材５０とを具備して構成されている。
【００１６】
そして、図２に示すように、摺動金枠２０の摺動方向側面には、コッターと摺動接触させる傾斜ブロック２２が設けられている。ここで、傾斜ブロック２２は、摺動プレート２１のノズル孔２１ａを全閉とする方向（閉方向）に向けて摺動することで、押圧部材を押し上げるように、前方に向かって低く形成されている。
【００１７】
なお、摺動接触とは、コッターと傾斜ブロックの摺動面(平滑面)を直接接触させて摺動させる方法に限られるものではなく、例えば、傾斜ブロックの摺動面にローラーを設け、当該ローラーをコッターの摺動面と接触させて摺動させる方法など、傾斜ブロックとコッターの摺動面を間接的に接触させて摺動させてもよい。
【００１８】
図１に戻って、押圧部材５０は、開閉金枠３０に取り付けられており、コッター６０と接触する接触部５１と、コイルスプリングなどの弾性体５２を圧縮する圧縮部５３と、接触部５１と圧縮部５３を連結する連結部５４と、接触部５１又は圧縮部５３を連結部５４に固定する固定部５５と、フック４０と係合する係合部５６とを備えている。
【００１９】
ここで固定部５５は、接触部５１や圧縮部５３と連結部５４との距離が任意の距離以上に離れないように固定すると共に、当該固定を解除可能としている。具体的には、例えば、連結部５４の端部にネジ溝をきり、ナットで接触部５１や圧縮部５３と連結部５４を固定する方法や、連結部５４の端部を雌ネジとし、ボルトで接触部５１や圧縮部５３と連結部５４を固定する方法など、接触部５１や圧縮部５３と連結部５４との固定を緩め、開閉金枠３０と接触部５１との間の隙間を広げることが可能な任意の方法を用いることができる。なお、接触部５１と圧縮部５３の少なくとも一方を固定解除可能とすればよい。
【００２０】
上記構成において、通常操業時における面圧の負荷及び解除の動作を図３を用いて説明する。面圧を負荷する際は、まず、摺動金枠２０を開方向に摺動させ、スプリング５２を圧縮する押圧部材５０の接触部５１と傾斜ブロック２２の間にコッター６０を差し込む（図３（ａ）参照）。
【００２１】
次に、摺動機構で摺動金枠２０を閉方向に摺動させることによって、傾斜ブロック２２でコッター６０を押し上げる。この時、コッター６０が押し上げられることに伴って、押圧部材５０が押し上げられ、開閉金枠３０との間でスプリング５２が圧縮される（図３（ｂ）参照）。
【００２２】
ここで、固定金枠１０に設けられたフック４０を押圧部材５０の係合部５６に係合させ（図３（ｃ）参照）、摺動金枠２０を引き戻すと、スプリング５２の圧縮が緩み、当該スプリング５２の弾性力によって、固定プレート１１と摺動プレート２１との間に面圧が負荷される（図３（ｄ）参照）。また、コッター６０を抜き取ることによって、プレート摺動時にスプリング５２が圧縮され、面圧が解除されることが防止される。
【００２３】
一方、面圧を解除する際は、まず、面圧負荷時と同様に、押圧部材５０と傾斜ブロック２２の間にコッター６０を差し込み、摺動機構で摺動金枠２０を閉方向に摺動させ、スプリング５２を圧縮する。これによって、フック４０と係合部５６との間に隙間が生じ、フック４０を外すことが可能となり、フック４０を外した後に摺動金枠２０を開方向に摺動させ、コッター６０を抜き取る。
【００２４】
次に、摺動金枠の摺動機構等にトラブルが発生した場合の非常時の面圧解除動作を説明する。図４は、この非常時の面圧解除動作を示す概略断面図であり、図１（ａ）の右側フック近傍を拡大した図である。なお、図４では、固定部５５としてナットを利用しているが、固定部は、ナットに限られるものではない。
【００２５】
弾性体５２によって面圧が負荷された状態において（図４（ａ）参照）、まず、固定部５５を緩め、開閉金枠３０の自重を利用して弾性体５２をたわませ、開閉金枠３０と接触部５１との間の隙間７０を広げる（図４（ｂ）参照）。なお、接触部５１側の固定部を緩めて空間７０を広げてもよい。
【００２６】
次に、開閉金枠３０と接触部５１との間の空間７０に冶具８０を挿入し、固定部５５を締めることによって、弾性体５２を圧縮する。当該圧縮により、フック４０と係合部５６との間に隙間が生じ、フック４０と係合部５６との係合を外すことが可能となる（図４（ｃ）参照）。
【００２７】
ここで冶具８０は、フック４０を係合部５６から外すだけの隙間を生じさせる厚みを備え、固定部５５を締め付けて弾性体５２を圧縮する際の圧力に耐える強度を備えた金属などの任意の材料からなる冶具である。具体的には、面圧負荷時の隙間寸法（正規隙間寸法）に、煉瓦の寸法許容差以上の厚みを加えた厚さとする。すなわち、例えば、煉瓦の寸法許容差が±２ｍｍの時、正規隙間寸法に３ｍｍ程度を加えた厚みとする。厚みが厚過ぎると、締め付け時の動作量が増え作業性が低下する。一方薄すぎると寸法公差などによっては、十分な過圧縮ができずフックが外れない恐れがある。
【００２８】
通常、プレート間に面圧のかかった状態では、開閉金枠３０と接触部５１との間に、５〜８ｍｍ程度の隙間７０がある。本発明では、冶具８０が入るところまで（５〜１０ｍｍ）固定部５５（ナット等）を緩め、隙間７０の寸法を広げる。そして、広げた隙間７０に冶具８０を挿入し、固定部５５のナットを締め込むことによって、冶具８０を挟み込み、弾性体５２を過圧縮し、フック４０と係合部５６の間に隙間が生じさせる。これによって、フック４０がフリーとなり、係合部５６からフック４０を外して面圧を解除することが可能となる。
【００２９】
このように本発明では、面圧負荷解除機構に異常が発生した状態において、面圧解除を行うことができる。
【００３０】
また、固定部を緩めて冶具を挿入する空間を確保し、冶具挿入後に固定部を締め込むことで弾性体を圧縮してフックを外すための隙間を確保するため、構造の複雑化やコストの上昇を抑えながら、非常時に面圧解除を行うことができる。
【図面の簡単な説明】
【００３１】
【図１】本発明に係るＳＮ装置の構成の一例を示す概略断面図であり、同図（ａ）は、摺動方向に対して垂直に切断した断面図（同図（ｂ）のＡ−Ａ断面）であり、同図（ｂ）は、摺動方向に沿って切断した断面図（同図（ａ）のＢ−Ｂ断面）である。
【図２】摺動金枠の構成の一例を示す斜視図である。
【図３】本発明に係るＳＮ装置における通常の面圧負荷解除動作を示す概略断面図である。
【図４】本発明に係るＳＮ装置において非常時の面圧解除動作を示す概略断面図であり、図１（ａ）の右側フック近傍を拡大した図である。
【符号の説明】
【００３２】
１０…固定金枠、１１…固定プレート、２０…摺動金枠、２１…摺動プレート、２１ａ…ノズル孔、２２…傾斜ブロック、３０…開閉金枠、４０…フック（連結部材）、５０…押圧部材、５１…接触部、５２…弾性体（スプリング）、５３…圧縮部、５４…連結部、５５…固定部、５６…係合部、６０…コッター、７０…隙間、８０…冶具。
【図１】
2010082652.tif 000003
【図２】
2010082652.tif 000004
【図３】
2010082652.tif 000005
【図４】
2010082652.tif 000006